(57)【要約】【課題】第１の通信装置から第２の無線通信装置を介して第３の通信装置へデータを伝送するときに、第２の無線通信装置から送信された確認応答信号が第１の通信装置で受信できなかった場合に、データが第２の無線通信装置で受信されたことを確認できるようにする。【解決手段】  親機は、中継機呼出データを送信し（ステップＳＴ１）、ＡＣＫ受信タイマをスタートさせる（ステップＳＴ２）。タイムアウトになる前に中継機からＡＣＫを受信した場合（ステップＳＴ５：YES）、又は中継機による子機呼出データを受信した場合（ステップＳＴ７：YES）には、ＡＣＫ受信タイマをストップさせ（ステップＳＴ６）、中継機呼出処理を終了させる。【選択図】  図６
2009089043.tif 000002
【特許請求の範囲】
【請求項１】
第１の無線通信装置から送信されたデータを第２の無線通信装置を介して第３の無線通信装置へ伝送するとともに、前記第１の無線通信装置は前記第２の無線通信装置からの確認応答信号の受信により、前記データが前記第２の無線通信装置で受信されたことを確認する無線通信システムにおいて、
前記第１の無線通信装置は、前記第３の無線通信装置宛の第１のデータを前記第２の無線通信装置へ送信する手段と、前記第１のデータを送信してから所定時間内に、前記第２の無線通信装置から前記第１のデータに対する確認応答信号を受信せず、前記確認応答信号以外のデータを受信したとき、前記確認応答信号を受信したものとする手段とを有することを特徴とする無線通信システム。
【請求項２】
請求項１記載の無線通信システムにおいて、
前記確認応答信号以外のデータが前記第１のデータであることを特徴とする無線通信システム。
【請求項３】
請求項１記載の無線通信システムにおいて、
前記第３の無線通信装置が、前記第１のデータの受信に応じて、前記第１の無線通信装置宛の第２のデータを前記第２の無線通信装置へ送信する手段を備え、前記確認応答信号以外のデータが前記第２のデータであることを特徴とする無線通信システム。
【発明の詳細な説明】
【技術分野】
【０００１】
本発明は、例えばビニールハウスの温度データや湿度データなどの計測データを自動収集する自動計測システム、或いはガス漏れセンサや火災センサなどの情報を報知するセキュリティシステムに好適な無線通信システムに関する。
【背景技術】
【０００２】
図１１はこのような無線通信システムの概略構成を示す図である。この無線通信システムは、センタ装置１１と、親機１２と、中継機１３と、子機１４とからなる。センタ装置１１と親機１２とは携帯電話網などの公衆通信回線を用いて通信を行う。親機１２と中継機１３、及び中継機１３と子機１４とは特定小電力無線により通信を行う。子機１４には温度や湿度などの計測を行う計測器、或いは火災センサやガス漏れセンサなどの緊急事態を検知するセンサが接続されている（特許文献１参照）。
【０００３】
このように構成された無線通信システムにおいて、例えばビニールハウスの温度データや湿度データなどの自動収集を行う場合、子機１４に接続されている計測器で計測された温度や湿度などの計測データをセンタ装置１１で定期的に収集するために、センタ装置１１は定期的に親機１２を呼び出し、子機１４に接続されている計測器の計測データの送信を要求する信号（以下、計測データ要求信号と言う）を送信する。
【０００４】
図１２は、図１１に示す無線通信システムにおいて、親機１２が計測データ要求信号を受信したときの親機１２、中継機１３及び子機１４の動作を示すシーケンス図である。
【０００５】
親機１２は、計測データ要求信号をセンタ装置１１から受信すると、中継機１３に対し、子機１４に接続されている計測器の計測データの送信を要求するため、中継機呼出データを送信する（手順Ｓ４１）。中継機１３は、中継機呼出データを受信すると、まず親機１２にＡＣＫ（確認応答信号）を送信し（手順Ｓ４２）、次いで子機１４に接続されている計測器の計測データの送信を要求するため、子機１４に対し、子機呼出データを送信する（手順Ｓ４３）。
【０００６】
子機１４は、子機呼出データを受信すると、まず中継機１３へＡＣＫを送信し（手順Ｓ４４）、次いで自分に接続されている計測器の計測値を読み取り、読み取った計測データを子機回答データとして、中継機１３へ送信する（手順Ｓ４５）。中継機１３は、子機回答データを受信すると、まず子機１４へＡＣＫを送信し（手順Ｓ４６）、次いで親機１２へ子機回答データを転送する（手順Ｓ４７）。
【０００７】
親機１２は、子機回答データを受信すると、中継機１３へＡＣＫを送信する（手順Ｓ４８）。親機１２は、このようにして取得した計測データをセンタ装置１１へ送信する。
【０００８】
また、図１１に示す無線通信システムにおいて、子機１４に接続されているセンサが異常を検知した場合、図１３に示すように、子機１４は、センタ装置１１へ通報するため、中継機１３に対し、中継機呼出データを送信する（手順Ｓ５１）。
【０００９】
中継機１３は、中継機呼出データを受信すると、まず子機１４にＡＣＫ（確認応答信号）を送信し（手順Ｓ５２）、次いで子機１４からの通報をセンタ装置１１に送信するため、親機１２に対し、親機呼出データを送信する（手順Ｓ５３）。
【００１０】
親機１２は、親機呼出データを受信すると、中継機１３へＡＣＫを送信し（手順Ｓ５４）、次いで子機１４からの通報をセンタ装置１１へ送信する。
【００１１】
しかしながら、図１２に示すシーケンスにおいて、手順Ｓ４２で中継機１３が親機１２へ送信したＡＣＫがノイズ等の影響で親機１２にて受信できなかった場合、親機１２ではＡＣＫが一定時間内に受信できなかったこと（タイムアウト）に基づき通信エラーとして処理する。このため、手順Ｓ４３〜４７に通信エラーがなかったとしても、親機１２は手順Ｓ４７の子機回答データを受信せず、手順Ｓ４１を再度実行して中継機呼出データの再送を行う。従って、親機１２、中継機１３及び子機１４の消費電力が増えるだけでなく、迅速な通報ができないという問題がある。
【００１２】
また、図１３に示すシーケンスにおいて、手順Ｓ５２で中継機１３が子機１４へ送信したＡＣＫがノイズ等の影響で子機１４にて受信できなかった場合、子機１４ではＡＣＫが一定時間内に受信できなかったことに基づき通信エラーとして処理する。このため、手順Ｓ５３以降に通信エラーがなかったとしても、子機１４は手順Ｓ５１を再度実行して中継機呼出データの再送を行う。従って、子機１４、中継機１３及び親機１２の消費電力が増えるだけでなく、通報が重複してしまうという問題がある。
【００１３】
【特許文献１】特開平８−１７１６９２号公報
【発明の開示】
【発明が解決しようとする課題】
【００１４】
本発明は、このような問題点に鑑みてなされたものであり、その目的は、第１の無線通信装置から送信されたデータを第２の無線通信装置を介して第３の無線通信装置へ伝送するとともに、第１の無線通信装置は第２の無線通信装置からの確認応答信号の受信により、データが第２の無線通信装置で受信されたことを確認する無線通信システムにおいて、第２の無線通信装置から送信された確認応答信号が何らかの原因で第１の無線通信装置で受信されなかった場合に、第１の無線通信装置にて、データが第２の無線通信装置で受信されたことを確認できるようにすることである。
【課題を解決するための手段】
【００１５】
請求項１の発明は、第１の無線通信装置から送信されたデータを第２の無線通信装置を介して第３の無線通信装置へ伝送するとともに、前記第１の無線通信装置は前記第２の無線通信装置からの確認応答信号の受信により、前記データが前記第２の無線通信装置で受信されたことを確認する無線通信システムにおいて、前記第１の無線通信装置は、前記第３の無線通信装置宛の第１のデータを前記第２の無線通信装置へ送信する手段と、前記第１のデータを送信してから所定時間内に、前記第２の無線通信装置から前記第１のデータに対する確認応答信号を受信せず、前記確認応答信号以外のデータを受信したとき、前記確認応答信号を受信したものとする手段とを有することを特徴とする。
請求項２の発明は、請求項１記載の無線通信システムにおいて、前記確認応答信号以外のデータが前記第１のデータであることを特徴とする。
請求項３の発明は、請求項１記載の無線通信システムにおいて、前記第３の無線通信装置が、前記第１のデータの受信に応じて、前記第１の無線通信装置宛の第２のデータを前記第２の無線通信装置へ送信する手段を備え、前記確認応答信号以外のデータが前記第２のデータであることを特徴とする。
【００１６】
［作用］
請求項１の発明によれば、第１の無線通信装置は、第２の無線通信装置へ第３の無線通信装置宛の第１のデータを送信してから所定時間内に、第２の無線通信装置から第１のデータに対する確認応答信号を受信せず、それ以外のデータを受信した場合、確認応答信号を受信したものとする。
請求項２の発明によれば、第１の無線通信装置は、第２の無線通信装置へ第３の無線通信装置宛の第１のデータを送信してから所定時間内に、第２の無線通信装置から第１のデータに対する確認応答信号を受信せず、第１のデータを受信した場合、確認応答信号を受信したものとする。
請求項３の発明によれば、第１の無線通信装置は、第２の無線通信装置へ第３の無線通信装置宛の第１のデータを送信してから所定時間内に、第２の無線通信装置から第１のデータに対する確認応答信号を受信せず、第３の無線通信装置が第１のデータの受信に応じて送信した第１の無線通信装置宛の第２のデータを受信した場合、確認応答信号を受信したものとする。
【発明の効果】
【００１７】
本発明によれば、第１の無線通信装置から送信されたデータを第２の無線通信装置を介して第３の無線通信装置へ伝送するとともに、第１の無線通信装置は第２の無線通信装置からの確認応答信号の受信により、データが第２の無線通信装置で受信されたことを確認する無線通信システムにおいて、第２の無線通信装置から送信された確認応答信号が何らかの原因で第１の無線通信装置で受信されなかった場合に、第１の無線通信装置にて、データが第２の無線通信装置で受信されたことを確認することができる。
【発明を実施するための最良の形態】
【００１８】
以下、本発明の実施形態について図面を参照して説明する。
［第１の実施形態］
図１は本発明の第１の実施形態の無線通信システムの構成を示す図である。この無線通信システムは、センタ装置１と、第１の無線通信装置である親機２と、第２の無線通信装置である中継機３と、第３の無線通信装置である子機４とからなる。センタ装置１と親機２とは携帯電話網などの公衆通信回線により通信を行う。親機２と中継機３、及び中継機３と子機４とは特定小電力無線により通信を行う。子機４には温度や湿度などの計測を行う計測器、或いは火災センサやガス漏れセンサなどのセンサが接続されている。
【００１９】
図２は図１の親機２の構成を示すブロック図である。親機２は制御装置２１と、それぞれが制御装置２１に接続された公衆無線回路２２、特定小電力無線回路２３及び記憶装置２４を有する。公衆無線回路２２、特定小電力無線回路２３には、それぞれアンテナ２５、２６が接続されている。
【００２０】
制御装置２１は親機２の全体の制御及び各種処理を行う。公衆無線回路２２はセンタ装置１との間で無線通信を行うための回路であり、特定小電力無線回路２３は中継機３との間で無線通信を行うための回路である。記憶装置２４には、制御装置２１が動作するときに使用する各種データ、プログラムなどが記憶される。アンテナ２５、２６は、それぞれ公衆無線回線の電波、特定小電力無線の電波を送受信する。
【００２１】
図３は図１の中継機３の構成を示すブロック図である。中継機３は制御装置３１と、それぞれが制御装置３１に接続された特定小電力無線回路３２及び記憶装置３３を有する。特定小電力無線回路３２にはアンテナ３４が接続されている。
【００２２】
制御装置３１は中継機３の全体の制御及び各種処理を行う。特定小電力無線回路３２は親機２及び子機４との間で無線通信を行うための回路である。記憶装置２３には、制御装置３１が動作するときに使用する各種データ、プログラムなどが記憶される。アンテナ３４は特定小電力無線の電波を送受信する。
【００２３】
図４は図１の子機４の構成を示すブロック図である。子機４は制御装置４１と、それぞれが制御装置４１に接続された特定小電力無線回路４２、記憶装置４３及びＩ／Ｆ（インタフェース）回路４４を有する。特定小電力無線回路４２にはアンテナ４５が接続されている。また、図示されていないが、Ｉ／Ｆ回路４４には前述した計測器やセンサが接続されている。
【００２４】
制御装置４１は子機４の全体の制御及び各種処理を行う。特定小電力無線回路４２は中継機３との間で無線通信を行うための回路である。記憶装置４３には、制御装置４１が動作するときに使用する各種データ、プログラムなどが記憶される。Ｉ／Ｆ回路４４は制御装置４１からの指令に応じて計測器の計測データを読み出し、制御装置４１へ送る。また、センサが異常を検知したときは制御装置４１に通知する。アンテナ４５は特定小電力無線の電波を送受信する。
【００２５】
図５は、以上の構成を有する無線通信システムにおいて、親機２がセンタ装置１から計測データ要求信号を受信したときの親機２、中継機３及び子機４の動作を示すシーケンス図である。
【００２６】
親機２では、センタ装置１から送信された計測データ要求信号がアンテナ２５及び公衆無線回路２２を通して制御装置２１へ送られる。制御装置２１は、受信した計測データ要求信号を解析した後、中継機３に対し、子機４に接続された計測器の計測データの送信を要求するため、中継機呼出データを生成し、特定小電力無線回路２３及びアンテナ２６を通して中継機３へ送信する（手順Ｓ１）。
【００２７】
中継機３では、中継機呼出データがアンテナ３４及び特定小電力無線回路３２を通して制御装置３１へ送られる。制御装置３１は、中継機呼出データを解析することで、自分が呼び出されたこと及び子機４に接続されている計測器の計測データが要求されていることを知ると、ＡＣＫを生成し、特定小電力無線回路３２及びアンテナ３４を通して親機２へ送信し（手順Ｓ２）、次いで子機４に接続されている計測器の計測データの送信を要求するため、子機４に対し、特定小電力無線回路３２及びアンテナ３４を通して子機呼出データを送信する（手順Ｓ３）。
【００２８】
これらの手順Ｓ２及びＳ３は従来の無線通信システムにおける手順Ｓ４２及びＳ４３と同じである。本実施形態では、手順Ｓ３で中継機３のアンテナ３４から送信された特定小電力無線電波が親機２のアンテナ２６でも受信できることに着目し、親機２にて子機呼出データを受信している点が相違する（手順Ｓ４）。
【００２９】
図６は親機２の制御装置２１の中継機呼出処理、即ち中継機呼出データを送信してから、中継機３より応答を受信するまでの処理の一例を示すフローチャートである。この処理は、親機２がセンタ装置１から計測データ要求信号を受信したときに始まる。
【００３０】
制御装置２１は、中継機呼出データを生成し、特定小電力無線回路２３及びアンテナ２６を通して中継機３へ送信し（ステップＳＴ１）、直ちにＡＣＫ受信タイマ（図示せず）をスタートさせ（ステップＳＴ２）、タイムアウトになるまで、中継機３から送信されるデータの受信を待ち受ける（ステップＳＴ３→ＳＴ４→ＳＴ８）。ここで、ステップＳＴ１は図５の手順Ｓ１に相当する。
【００３１】
親機２は、ＡＣＫ受信タイマがタイムアウトになる前に中継機３からデータを受信したとき（ステップＳＴ４：YES）、それがＡＣＫであった場合（ステップＳＴ５：YES）と、ＡＣＫではないが中継機３による子機呼出データであった場合（ステップＳＴ５：NO→ステップＳＴ７：YES）には、ＡＣＫ受信タイマをストップさせ（ステップＳＴ６）、中継機呼出処理を終了させる。
【００３２】
これに対し、ＡＣＫ受信タイマがタイムアウトになった場合は（ステップＳＴ８：YES）、ＡＣＫ受信エラー処理を行い（ステップＳＴ９）、中継機呼出処理を終了させる。そして、再度中継機呼出処理を実行する。
【００３３】
図５の説明に戻る。子機４では、子機呼出データがアンテナ４５及び特定小電力無線回路４２を通して制御装置４１へ送られる。制御装置４１は、子機呼出データを解析することで、自分が呼び出されたこと及び自分に接続されている計測器の計測データが要求されていることを知ると、まずＡＣＫを生成し、特定小電力無線回路４２及びアンテナ４５を通して中継機３へ送信し（手順Ｓ５）、次いでＩ／Ｆ回路４４に接続されている計測器（図示せず）のデータを読み取り、その計測データを子機回答データとして中継機３へ送信する（手順Ｓ６）。以後の手順Ｓ７〜Ｓ９は従来システムにおける手順Ｓ４６〜Ｓ４８と同じである。
【００３４】
このように、本実施形態によれば、親機２にて、中継機３からのＡＣＫを受信せず、子機呼出データを受信した場合に、ＡＣＫ受信タイマをストップさせることで、ＡＣＫを受信したものとして処理するので、中継機３から送信されたＡＣＫをノイズなどが原因で受信できなかったとしても、中継機３から子機４へ送信された子機呼出データを受信できたことに基づいて、中継機３が中継機呼出データを受信したことを確認している。
【００３５】
図７は親機２の制御装置２１の中継機呼出処理の別の一例を示すフローチャートである。ここで、図６と同じ処理には図６と同じ符号を付した。
【００３６】
この図の処理は、図６の処理において、ＡＣＫ受信タイマがタイムアウトになる前にＡＣＫ、子機呼出データのどちらも受信できなかったとしても、子機回答データ（図５の手順Ｓ８）を受信できた場合には（ステップＳＴ５：NO→ステップＳＴ７：NO→ステップＳＴ１０：YES）、ＡＣＫ受信タイマをストップさせる処理（ステップＳＴ６）を追加したものである。
【００３７】
これにより、親機２は、中継機３から送信されたＡＣＫ及び中継機３から子機４へ送信された子機呼出データをともに受信できなかったとしても、子機回答データを受信できたことに基づいて、中継機３が親機２からの中継機呼出データを受信したことを確認できるので、図６に示す処理よりも確実に中継機呼出データを受信したことを確認できる。
【００３８】
図８は、図１の無線通信システムにおいて、子機４に接続されているセンサが異常を検知したときに、子機４がセンタ装置１へ通報する際の子機４、中継機３及び親機２の動作を示すシーケンス図である。
【００３９】
子機４のＩ／Ｆ回路４４に接続されているセンサ（図示せず）が検知データを生成すると、制御装置４１は中継機呼出データを生成し、特定小電力無線回路４２及びアンテナ４５を通して中継機３へ送信する（手順Ｓ１１）。
【００４０】
中継機３では、中継機呼出データがアンテナ３４及び特定小電力無線回路３２を通して制御装置３１へ送られる。制御装置３１は、中継機呼出データを解析することで、自分が呼び出されたこと及び子機４に接続されているセンサが検知データを生成していることを知ると、ＡＣＫを生成し、特定小電力無線回路３２及びアンテナ３４を通して子機４へ送信し（手順Ｓ１２）、次いで子機４からの通報をセンタ装置１に送信するため、親機２に対し、親機呼出データを送信する（手順Ｓ１３）。
【００４１】
これらの手順Ｓ１１〜Ｓ１３は従来の無線通信システムにおける手順Ｓ５１〜Ｓ５３と同じである。つまり、中継機３及び親機２の動作は従来の無線通信システムと同じである。本実施形態では、手順Ｓ１３で中継機３のアンテナ３４から送信された特定小電力無線電波が子機４のアンテナ４５でも受信できることに着目し、子機４にて親機呼出データを受信している点が相違する（手順Ｓ１４）。
【００４２】
子機４は、手順Ｓ１１で中継機呼出データを送信した後、図６と同様に、ＡＣＫ受信タイマをスタートさせ、タイムアウトになる前に、ＡＣＫを受信した場合、或いはＡＣＫを受信せず、親機呼出データを受信した場合に、ＡＣＫ受信タイマをストップさせる。
【００４３】
つまり、子機４は、中継機３から送信されたＡＣＫをノイズなどが原因で受信できなかったとしても、中継機３から親機２へ送信された親機呼出データを受信できたことに基づいて、ＡＣＫを受信したものとして処理し、中継機３が子機４からの中継機呼出データを受信したことを確認している。
【００４４】
［第２の実施形態］
図９は本発明の第２の実施形態の無線通信システムの構成を示す図である。この図において、図１と同一の構成要素には図１と同じ符号を付した。
【００４５】
この無線通信システムは、図１の無線通信システムにおける中継機３を２段の中継機３ａ，３ｂとしたものである。中継機３ａは、親機２及び中継機３ｂと特定小電力無線により通信を行い、中継機３ｂは、子機４及び中継機３ａと特定小電力無線により通信を行う。中継機３ａ，３ｂの構成のブロック図は図３に示す中継機３のブロック図と同じである。
【００４６】
図１０は、本実施形態の無線通信システムにおいて、親機２がセンタ装置１から計測データ要求信号を受信したときの親機２、中継機３ａ，３ｂ及び子機４の動作を示すシーケンス図である。
【００４７】
親機２は、センタ装置１から送信された計測データ要求信号を受信すると、中継機３ａに対し、子機４に接続されている計測器の計測データの送信を要求するため、中継機３ａの呼出データを送信する（手順Ｓ２１）。中継機３ａは、自分に対する呼出データを受信して解析し、まず親機２にＡＣＫを送信し（手順Ｓ２２）、次いで子機４に接続されている計測器の計測データの送信を要求するため、中継機３ｂに対し、呼出データを送信する（手順Ｓ２３）。
【００４８】
中継機３ｂに対する呼出データは、親機２でも受信される（手順Ｓ２４）。親機２は、手順Ｓ２１で中継機３ａに対する呼出データを送信した後、図６と同様に、ＡＣＫ受信タイマをスタートさせ、タイムアウトになる前に、中継機３ａから送信されたＡＣＫを受信した場合、或いはＡＣＫを受信せず、中継機３ｂに対する呼出データを受信した場合は、ＡＣＫ受信タイマをストップさせる。これにより、親機２は、中継機３ａから送信されたＡＣＫをノイズなどが原因で受信できなかったとしても、中継機３ａから中継機３ｂへ送信された呼出データを受信できたことに基づいて、ＡＣＫを受信したものとして処理し、中継機３ａが親機２からの呼出データを受信したことを確認している。
【００４９】
中継機３ｂは、自分宛の呼出データを受信して解析し、まず中継機３ａにＡＣＫ（確認応答信号）を送信し（手順Ｓ２５）、次いで子機４に接続されている計測器の計測データの送信を要求するため、子機４に対し、子機呼出データを送信する（手順Ｓ２６）。
【００５０】
子機呼出データは中継機３ａでも受信される（手順Ｓ２７）。中継機３ａは、手順Ｓ２３で中継機３ｂに対する呼出データを送信した後、図６と同様に、ＡＣＫ受信タイマをスタートさせ、タイムアウトになる前に、中継機３ｂから送信されたＡＣＫを受信した場合、或いはＡＣＫを受信せず、子機４に対する呼出データを受信した場合は、ＡＣＫ受信タイマをストップさせる。これにより、中継機３ａは、中継機３ｂから送信されたＡＣＫをノイズなどが原因で受信できなかったとしても、中継機３ｂから子機４へ送信された子機呼出データを受信できたことに基づいて、ＡＣＫを受信したものとして処理し、中継機３ｂが中継機３ａからの呼出データを受信したことを確認している。
【００５１】
子機４は、子機呼出データを受信すると、まず中継機３ｂへＡＣＫを送信し（手順Ｓ２８）、次いで自分に接続されている計測器の計測値を読み取り、その計測データを子機回答データとして、中継機３ｂへ送信する（手順Ｓ２９）。中継機３ｂは、子機回答データを受信すると、まず子機４へＡＣＫを送信し（手順Ｓ３０）、次いで中継機３ａへ子機回答データを送信する（手順Ｓ３１）。
【００５２】
中継機３ａは、子機回答データを受信すると、まず中継機３ｂへＡＣＫを送信し（手順Ｓ３２）、次いで親機２へ子機回答データを送信する（手順Ｓ３３）。親機２は、子機回答データを受信すると、中継機３ａへＡＣＫを送信する（手順Ｓ３４）。
【００５３】
このように、本実施形態によれば、親機２は、中継機３ａから送信されたＡＣＫをノイズなどが原因で受信できなかったとしても、中継機３ａから中継機３ｂへ送信された呼出データを受信できたことに基づいて、中継機３ａが親機２からの呼出データを受信したことを確認できる。同様に、中継機３ａは、中継機３ｂから送信されたＡＣＫをノイズなどが原因で受信できなかったとしても、中継機３ｂから子機４へ送信された呼出データを受信できたことに基づいて、中継機３ｂが呼出データを受信したことを確認できる。
【００５４】
なお、第１の実施形態では、親機２と子機４とが中継機３を介して通信を行うように構成したが、親機２と子機４とが別の子機を介して通信を行うように構成することもできる。この構成の場合、別の子機が中継機の機能も持つ。
【００５５】
また、第２の実施形態において、親機２は、手順Ｓ２２のＡＣＫ、手順Ｓ２３の中継機３ｂ呼出データのどちらも受信できなかったとしても、手順Ｓ２６の子機呼出データを受信できた場合に手順Ｓ２２のＡＣＫを受信できたものとしてもよい。
【図面の簡単な説明】
【００５６】
【図１】本発明の第１の実施形態の無線通信システムの構成を示す図である。
【図２】図１の親機の構成を示すブロック図である。
【図３】図１の中継機の構成を示すブロック図である。
【図４】図１の子機の構成を示すブロック図である。
【図５】本発明の第１の実施形態の無線通信システムにおいて、親機が計測データ要求信号を受信したときの親機、中継機及び子機の動作を示すシーケンス図である。
【図６】親機の制御装置の中継機呼出処理の一例を示すフローチャートである。
【図７】親機の制御装置の中継機呼出処理の別の一例を示すフローチャートである。
【図８】本発明の第１の実施形態の無線通信システムにおいて、子機がセンタ装置へ通報する際の子機、中継機及び親機の動作を示すシーケンス図である。
【図９】本発明の第２の実施形態の無線通信システムの構成を示す図である。
【図１０】本発明の第２の実施形態の無線通信システムにおいて、親機が計測データ要求信号を受信したときの親機、中継機及び子機の動作を示すシーケンス図である。
【図１１】従来の無線通信システムの構成を示す図である。
【図１２】従来の無線通信システムにおいて、親機が計測データ要求信号を受信したときの親機、中継機及び子機の動作を示すシーケンス図である。
【図１３】従来の無線通信システムにおいて、子機がセンタ装置へ通報する際の子機、中継機及び親機の動作を示すシーケンス図である。
【符号の説明】
【００５７】
２・・・親機、３，３ａ，３ｂ・・・中継機、４・・・子機、２１，３１，４１・・・制御装置、２３，３２，４２・・・特定小電力無線回路。
【図１】
2009089043.tif 000003
【図２】
2009089043.tif 000004
【図３】
2009089043.tif 000005
【図４】
2009089043.tif 000006
【図５】
2009089043.tif 000007
【図６】
2009089043.tif 000008
【図７】
2009089043.tif 000009
【図８】
2009089043.tif 000010
【図９】
2009089043.tif 000011
【図１０】
2009089043.tif 000012
【図１１】
2009089043.tif 000013
【図１２】
2009089043.tif 000014
【図１３】
2009089043.tif 000015